(57)【特許請求の範囲】
【請求項１】
操作画像を表示する画像表示部と、
この画像表示部上の表示操作画像に係る表示言語を選択する言語選択入力および当該装置の操作指示入力を受ける入力部と、
前記表示操作画像に表示する複数の前記表示言語であって、特定の表示言語をデフォルト表示言語として記憶する記憶部と、
前記表示言語を表示した前記操作画像を前記画像表示部に表示制御する表示制御部であって、前記画像表示部に表示された前記表示言語が前記デフォルト言語でない状態の下で、所定の期間内に、前記入力部が前記言語選択入力を受けずに所定の前記操作指示入力を受けたとき、当該時点の前記表示言語を変更選択する言語選択画面を表示するよう前記画像表示部を制御する表示制御部と、
を具備し、
前記表示制御部は、前記所定の期間内に、前記入力部が前記操作指示入力として当該装置の画像形成スタート指示入力を受けないとき、前記言語選択画面を表示するよう制御する機能を有することを特徴とする表示制御装置。
【請求項２】
前記表示制御部は、前記言語選択画面の表示に先立ち、当該言語選択画面の表示要否画面を表示するよう前記画像表示部を制御する機能を有する請求項１記載の表示制御装置。
【請求項３】
前記表示制御部は、前記デフォルト言語を用いて前記言語選択画面および又は表示要否画面を表示制御する請求項１又は２記載の表示制御装置。
【請求項４】
前記デフォルト言語は、当該装置の初期設定言語又は当該装置の設置地域の標準言語である請求項１〜３いずれか１記載の表示制御装置。
【請求項５】
記憶部に記憶された複数の表示言語の中から、選択された表示言語を表示操作画像に表示して画像表示部に表示制御するとともに、前記表示言語の選択を制御する制御用コンピュータに対し、
前記操作画像を前記画像表示部に表示する画像表示処理と、
この画像表示部上の表示操作画像に係る表示言語を選択する言語選択入力および当該装置の操作指示入力を受ける入力処理と、
前記画像表示部に表示された前記表示言語がデフォルト言語でない状態の下で、所定の期間内に、前記言語選択入力を受けずに所定の前記操作指示入力を受けたとき、当該時点の前記表示言語を変更選択する言語選択画面を前記画像表示部に表示制御する表示制御処理であって、前記所定の期間内に、前記操作指示入力として当該装置の画像形成スタート指示入力を受けないとき、前記言語選択画面を表示する制御処理を前記制御用コンピュータに実行させる表示制御処理と、
を実行させることを特徴とする表示制御プログラム。
【請求項６】
前記表示制御処理は、前記デフォルト言語を用いて前記言語選択画面および又は表示要否画面の表示制御を前記制御用コンピュータに実行させる請求項５記載の表示制御プログラム。
【請求項７】
前記入力処理は、前記操作指示入力として、当該装置の画像形成スタート指示入力を受ける処理を前記制御用コンピュータに実行させる請求項５又は６記載の表示制御プログラム。
【請求項８】
前記デフォルト言語は、当該装置の初期設定言語又は当該装置の設置地域の標準言語である請求項５〜７いずれか１記載の表示制御プログラム。
【発明の詳細な説明】
【技術分野】
【０００１】
本発明は表示制御装置および画像表示プログラムに係り、例えば複合機（ＭＦＰ：Multi Function Peripheral）等の画像形成装置に用いて好適する表示制御装置および画像表示プログラムの改良に関する。
【背景技術】
【０００２】
複合機等の画像形成装置としては、言語入りの表示操作画像を画像表示部に表示して使用するのが一般的であるし、複数の国での使用を想定し、日本語、英語、ドイツ語、フランス語、中国語といった複数組の表示言語セットを記憶部に記憶し、選択された表示言語を表示操作画像に表示して画像表示部に表示制御する機能を有するものが提供されている。
【０００３】
ところが、このように表示言語の選択が可能な画像形成装置において、操作者が表示言語を変更設定しようとしても、表示されている言語を理解できる操作者以外は、言語選択画面へ切換操作が困難となり易いから、言語選択を容易にする技術が提案されている。
【０００４】
例えば、特開２０００−３０５６９０号公報（特許文献１）の表示装置が提供されている。
【０００５】
この特許文献１は、表示に用いる言語を切り換えることが可能な表示装置であり、設定されている言語による選択肢を画面に表示するタッチパネルと、このタッチパネルに表示されている選択肢のうち、現在設定されている言語にかかわらず、言語設定画面への移行用選択肢を所定の共通言語で表示する構成を有し、言語変更画面へ移行するための選択肢が、多くの国の人に共通の表示となるようにしたものである。
【０００６】
また、特開２００６−１５６２３号公報（特許文献２）の画像形成装置の操作表示部も提供されている。
【０００７】
この特許文献２は、スキャナ機能、コピー機能、プリンタ機能、ファクシミリ機能等の機能毎の待機画面に言語選択手段を設け、その待機画面から機能毎に独立して表示言語も選択可能にするとともに、複数の表示言語を操作画面でローテーションさせ、自分の理解可能な表示言語の操作画面で操作すると、以後その表示言語を使用できるように構成し、表示する表示言語を簡易な操作で変更できるようにしたものである。
【０００８】
さらに、例えば特開２００４−８６６１１号公報（特許文献３）の画像形成装置も提供されている。
【０００９】
この特許文献３は、Ｗｅｂ（World Wide Web）サーバ機能を有する画像形成装置に対し、Ｗｅｂブラウザ機能を有するコンピュータや携帯電話を接続し、これらコンピュータや携帯電話からその画像形成装置のＷｅｂページにアクセスして個人情報の登録を行い、その画像形成装置では登録された個人情報に応じた使用言語で操作表示部を切り替え表示する構成を有し、Ｗｅｂ環境を利用し、表示部に表示する使用言語を容易に変更できるようにしたものである。
【特許文献１】特開２０００−３０５６９０号公報
【特許文献２】特開２００６−１５６２３号公報
【特許文献３】特開２００４−８６６１１号公報
【発明の開示】
【発明が解決しようとする課題】
【００１０】
しかしながら、上述した特許文献１では、操作者が理解可能な言語選択肢画面を探すこと自体が困難となる場合があったり、タッチパネルの表示面積が限られていて、移行選択肢の表示スペースの確保が困難な場合もあるうえ、どのような言語が共通語であるのか予め調査しなければならず、共通語の設定が煩雑となり易く、改善の余地がある。
【００１１】
他方、特許文献２では、複数の表示言語を操作画面でローテーションさせても、表示言語の意味を理解できないと、言語選択のために操作画面ローテーションさせていること自体が分からない場合があり、操作画面を色々と切り換えても、結局、操作者に理解可能な言語選択画面に切り換えることが困難になり難い。
【００１２】
さらに、特許文献３では、通信手段その他、Ｗｅｂ環境を利用する必要があり、実施するには、構成や手順が煩雑であり、同様に、簡単に言語選択するための解決になり難い。
【００１３】
本発明はそのような課題を解決するためになされたもので、複数の表示言語の切換えが可能で不特定多数が使用する電子機器において、表示言語が変更されても、操作者に理解し易い言語選択画面へ簡単に移行可能な表示制御装置および画像表示プログラムの提供を目的とする。
【課題を解決するための手段】
【００１４】
そのような課題を解決するために本発明に係る表示制御装置は、操作画像を表示する画像表示部と、この画像表示部上の表示操作画像に係る表示言語を選択する言語選択入力および当該装置の操作指示入力を受ける入力部と、その表示操作画像に表示する複数の表示言語であって、特定の表示言語をデフォルト表示言語として記憶する記憶部と、その表示言語を表示した操作画像をその画像表示部に表示制御する表示制御部であって、その画像表示部に表示された表示言語がそのデフォルト言語でない状態の下で、所定の期間内に、その入力部が言語選択入力を受けずに所定の操作指示入力を受けたとき、当該時点の表示言語を変更選択する言語選択画面を表示するようその画像表示部を制御する表示制御部とを具備している。
【００１５】
本発明の表示制御装置は、所定の期間内に、上記入力部がその操作指示入力として当該装置の画像形成スタート指示入力を受けないとき、上記表示制御部がその言語選択画面を表示制御する機能を有する構成である。
【００１６】
本発明の表示制御装置では、上記表示制御部は、その言語選択画面の表示に先立ち、当該言語選択画面の表示要否画面を表示するよう上記画像表示部を制御する機能を有する構成も可能である。
【００１７】
本発明の表示制御装置では、上記表示制御部は、そのデフォルト言語を用いてそれら言語選択画面および又は表示要否画面を表示制御する構成も可能である。
【００１８】
本発明の表示制御装置では、上記デフォルト言語は、当該装置の初期設定言語又は当該装置の設置地域の標準言語である構成も可能である。
【００１９】
本発明に係る表示制御プログラムは、記憶部に記憶された複数の表示言語の中から、選択された表示言語を表示操作画像に表示して画像表示部に表示制御するとともに、その表示言語の選択を制御する制御用コンピュータに対し、その操作画像をその画像表示部に表示する画像表示処理と、この画像表示部上の表示操作画像に係る表示言語を選択する言語選択入力および当該装置の操作指示入力を受ける入力処理と、その画像表示部に表示された表示言語がデフォルト言語でない状態の下で、所定の期間内に、その言語選択入力を受けずに所定の操作指示入力を受けたとき、当該時点の表示言語を変更選択する言語選択画面をその画像表示部に表示制御する表示制御処理と、を実行させるものである。
【００２０】
本発明の表示制御プログラムは、所定の期間内に、上記操作指示入力として当該装置の画像形成スタート指示入力を受けないとき、上記表示制御処理がその言語選択画面を表示する制御処理を上記制御用コンピュータに実行させる構成ある。
【００２１】
本発明の表示制御プログラムでは、上記表示制御処理は、そのデフォルト言語を用いてそれら言語選択画面および又は表示要否画面の表示制御を上記制御用コンピュータに実行させる構成も可能である。
【００２２】
本発明の表示制御プログラムでは、上記デフォルト言語は、当該装置の初期設定言語又は当該装置の設置地域の標準言語である構成も可能である。
【発明の効果】
【００２３】
このような本発明に係る表示制御装置および画像表示プログラムでは、表示制御部が記憶部に記憶された表示言語を操作画像に表示して画像表示部に表示制御し、その画像表示部に表示された表示言語がデフォルト言語でない状態の下で、所定の期間内に、その言語選択入力を受けずに操作指示入力を受けたとき、その表示制御部が当該時点のその表示言語を変更選択する言語選択画面を表示するようその画像表示部を制御するから、デフォルト言語以外の言語に切換えられた状態の下で、その言語選択画面を探すために何らかの操作指示入力があって所定期間経過すれば、操作者に理解し易い言語選択画面が自動的に切換表示され、言語選択画面へ簡単に移行可能である。
【００２４】
本発明において、上記操作指示入力としての画像形成スタート指示入力を受けないとき、言語選択画面を表示する構成であるから、複写スタート等の画像形成スタート指示入力を受ければ、操作者にとって言語選択が不要な場合が多いから、操作者が不必要な言語選択を求められることがなく、操作性が向上する。
【００２５】
本発明において、その言語選択画面の表示に先立ち、当該言語選択画面の表示要否画面を表示するよう画像表示部を制御する構成では、その言語選択画面が表示される前に、当該言語選択画面の表示要否の確認が可能となり、その言語選択画面が突然表示されないし、操作者にとって不必要な言語選択を求められることがなく、操作性が向上する。
【００２６】
本発明において、上記デフォルト言語を用いてそれら言語選択画面および又は表示要否画面を表示制御する構成では、操作者にとって言語選択画面および表示要否画面が分かり易く、操作性が向上する。
【００２７】
本発明において、上記デフォルト言語としては、当該装置の初期設定言語又は当該装置の設置地域の標準言語とする構成では、操作者にとって言語選択が不要な場合が多いから、操作者が不必要な言語選択を求められることがなく、操作性が向上する。
【発明を実施するための最良の形態】
【００２８】
以下、本発明に係る実施の形態を図面を参照して説明する。なお、本発明に係る表示制御装置は複合機に搭載された状態で説明し、更に、本発明に係る画像表示プログラムはその画像形成装置を説明する過程で説明する。
【００２９】
図１は本発明に係る表示制御装置を搭載した複合機Ａを示す概略ブロック図である。
【００３０】
複合機Ａは、制御部１を中心としてこれに接続された画像読取部３、記憶部５、画像表示部７、操作部９、印刷部１１および通信部１３を有して構成された画像形成装置である。複合機Ａは、これら以外にも構成要素を有するが、本発明の要部ではないので説明および図示を省略する。なお、制御部１の機能については後述する。
【００３１】
画像読取部３は、制御部１の制御の下、原稿から画像を光学的に読み込み、フィルタ処理等した電子的画像データを印刷ジョブとして生成する公知のスキャナであり、生成した印刷ジョブが原稿の頁毎に記憶部５に順次記憶されるようになっている。
【００３２】
記憶部５は、制御部１の制御の下、画像読取部３又は通信部１３からの印刷ジョブ、制御部１の動作アプリケーションプログラム、複合機Ａを操作するための操作画面、後述する複数の表示言語のデータ、言語選択画面、表示要否画面等を記憶する読み書き可能な例えばハードディスク（ＨＤＤ）である。
【００３３】
複数の表示言語のデータは、例えば日本語、英語、ドイツ語、フランス語、スペイン語、中国語その他の言語からなる複数組の言語セットであり、個々の表示言語のフォントデータを含むものである。これら表示言語の中で、特定の表示言語がデフォルト表示言語として設定されている。
【００３４】
図２は、記憶部５中において、それら複数の表示言語が記憶された状態を示す概念図であり、上述した他の記憶データ領域の図示は省略されている。
【００３５】
デフォルト言語は、予め設定された初期設定言語又は設置地域の標準言語である。その初期設定言語は、例えば複合機Ａがアメリカ向けに製造出荷されるときに初期設定された表示言語（例えば英語）であり、設置地域の標準言語は、当該複合機Ａが設置された地域、例えば日本又はフランスで設置された場合の標準言語（日本語やフランス語）である。
【００３６】
なお、例えば、複合機Ａの設置された国がフランスであっても、当該複合機Ａが設置された地域（場所）が日本系企業であれば、設置地域の標準言語が日本語となる場合もある。
【００３７】
上述した言語選択画面は、画像表示部７に表示されてそれらの表示言語を選択する画面であり、記憶部５に記憶された表示言語を示す文字等を、図３に示すように、例えばデフォルト言語が「日本語」で、「日本語」、「英語」、「ドイツ語」、「フランス語」、「スペイン語」、「中国語」の選択肢を表示、選択を可能にしたものである。
【００３８】
上述した表示要否画面は、その言語選択画面の表示が必要か否かの選択要否指示を受ける画面であり、例えば日本語で表示するとすれば、図４に示すようになる。図４の表示要否画面において、「実行」キーを選択すれば、上述した言語選択画面が表示され、「キャンセル」キーを選択すれば、言語選択画面が表示されずに別の処理に移ることになる。
【００３９】
言語選択画面および表示要否画面は、上述したデフォルト言語で表示されることが好ましく、デフォルト言語が操作部９から設定される。
【００４０】
画像表示部７は、複合機Ａに配置された公知の例えば液晶ディスプレイ等であり、複合機Ａにおける動作状態や諸データを表示する他、図３および図４に示すように、言語選択画面および表示要否画面等を切り換え表示する機能を有している。なお、図４では表示要否画面が表示されている。
【００４１】
操作部９は、図４に示すように、複合機Ａにおいて画像表示部７上に重ねるように配置された例えばタッチパネルスイッチ等からなり、選択キー９ａ、テンキー９ｂ、複写スタートキー９ｃ等を有する入力部として機能している。
【００４２】
操作部９は、それらのキー９ａ〜９ｃ等のタッチや押下により、複合機Ａに対して文字等の符号入力、更に、複写スタート、複写ストップ／リセット等の当該装置の操作指示入力を受ける他、画像表示部７上の表示操作画像に係る表示言語を選択する言語選択入力、更に、上述した言語選択画面および表示要否画面に表示する言語の選択入力が可能になっており、入力された情報が制御部１に出力される。
【００４３】
印刷部１１は、制御部１に制御の下、印刷ジョブから画像イメージデータを作成展開して印刷用紙にモノクロ又はカラー印刷して画像形成する公知の印刷エンジンである。
【００４４】
通信部１３は、制御部１の制御の下、ネットワーク１５を介して外部の電子機器例えば複合機（画像形成装置）Ｂに接続されており、所定のデータ伝送プロトコルに従って複合機Ｂとの間で電子メールやファクシミリを送受信するインターフェースである。データ転送プロトコルとしては、例えばＴＣＰ／ＩＰ（（simple network management protocol）、その他の使用が可能である。
【００４５】
制御部１は、ＣＰＵ、このＣＰＵの起動プログラムを記憶したＲＯＭその他を有し、記憶部５に記憶されたアプリケーションプログラムによって画像読取部３、記憶部５、画像表示部７、操作部９、印刷部１１および通信部１３を制御する制御用コンピュータからなり、以下の機能を有している。
【００４６】
制御部１は、上述したアプリケーションプログラムや図示しない設定情報に基づき、画像読取部３や通信部１３からの印刷ジョブを記憶部５に記憶制御する機能、その印刷ジョブを印刷部１１に渡して印刷制御（画像形成制御）する機能、および複合機Ｂとの間でデータ通信をする機能を有している。
【００４７】
制御部１は、設定された表示言語を記憶部５から読み出し、これを表示した操作画像、言語選択画面および表示要否画面を画像表示部７に切り換え表示制御する表示制御部１７としての機能を有している。
【００４８】
表示制御部１７は、当該複合機Ａが起動されたとき、画像表示部７に表示された表示言語がデフォルト言語でない状態の下で、所定の期間内例えば１〜３分といった数分以内に、操作部９が言語選択指示入力や複写スタート指示入力を受けず、他方、何らかの操作指示入力を受けたとき、この時点において、言語選択画面を表示するか否かの表示要否画面を表示するよう、画像表示部７を制御する機能を有している。
【００４９】
すなわち、表示制御部１７は、表示言語がデフォルト言語でない状態で複合機Ａが起動されたとき、その表示言語が選択変更も、複写スタート指示入力も受けておらず、操作部９から何らかの操作指示入力を受けたとき、言語選択画面が検索されていると判断し、表示要否画面を経て言語選択画面を表示制御する機能を有している。
【００５０】
表示制御部１７は、図４の表示要否画面において「実行」の指示を受けると、表示要否画面から図３の言語選択画面に切り換え表示制御する機能を有し、「キャンセル」の指示を受けると、言語選択画面に切り換わらずに、所定の処理に移行する機能を有している。
【００５１】
そして、図３に示すような日本語による言語選択画面が表示されている状態で、例えば「英語」が選択されると、表示制御部１７は、図５に示すような「英語」の言語選択画面を作成してこれに切り換え制御し、以降、英語が表示された操作画面等を作成して画像表示部７に表示させる。
【００５２】
しかも、図５の言語選択画面において、「英語」から他の表示言語、更に、例えば「Chinese」を選択して「中国語」に変更可能である。
【００５３】
なお、操作部９が、所定の期間内に、操作指示入力として複写スタート指示を受けたときには、表示制御部１７は、表示要否画面および言語選択画面の切り換え表示制御を実施しない。
【００５４】
次に、本発明に係る表示制御装置の動作を図６のフローチャートを参照して簡単に説明する。
【００５５】
一例として、複合機Ａが、「日本語」がフォルト言語として設定されていた状態から、直前の操作者が「日本語」以外に設定して立ち去った場合を説明する。
【００５６】
複合機Ａが再起動されてプログラムがスタートすると、ステップＳ１において、表示制御部１７が複合機Ａの表示言語がフォルト言語に設定されているか否か判別する。
【００５７】
複合機Ａがデフォルト言語に戻されていて、ステップＳ１がＹＥＳであれば終了し、設定言語がデフォルト言語に戻されていない場合にはステップＳ１がＮＯとなってステップＳ２に移り、ステップＳ２にて表示制御部１７が言語変更後（再起動後）に何らかの操作を行ったか否か判別する。
【００５８】
何も操作が行われておらずにステップＳ２がＮＯであれば、ステップＳ１に戻ってステップＳ２がＹＥＳになるまでステップＳ１、Ｓ２を繰り返す。
【００５９】
操作者が何らかの操作を行ってステップＳ２がＹＥＳであればステップＳ３に移り、ステップＳ３にて操作部９が何らかの操作指示入力を受けると、ステップＳ４にて表示制御部１７が所定期間が経過したか否か判別する。
【００６０】
この状態は、複合機Ａがデフォルト言語以外の表示言語に設定されていて、この表示言語を変更するために、表示選択画面を表示させるべく、表示言語の意味が分からずに、操作部９を操作者が縷々操作している場合が想定される。
【００６１】
所定期間が経過していなければステップＳ４がＮＯとなり、ステップＳ４がＹＥＳになるまでステップＳ３、４を繰り返す。なお、ステップＳ３の操作指示入力は過去に１回でも入力があれば、入力があったとしてステップＳ４に移る。
【００６２】
所定期間が経過してステップＳ４がＹＥＳになれば、ステップＳ５にて表示制御部１７が操作部９から複写スタートの操作指示入力を受けたか否か判別し、複写スタートの操作指示入力があってステップＳ５がＮＯであれば終了する。
【００６３】
この場合は、操作者が画像表示部７の表示操作画像をそのまま使用すると判断した事例である。
【００６４】
複写スタートの操作指示入力がなくてステップＳ５がＹＥＳであれば、ステップＳ６にて表示制御部１７が画像表示部７に表示要否画像を表示し（図４参照）、ステップＳ７にて操作部９への選択入力に基づき、表示制御部１７が言語選択画面に移行するか否か判別する。
【００６５】
言語選択画面への移行選択がなされず、ステップＳ６がＮＯであれば終了し、言語選択画面への移行選択がなされてステップＳ６がＹＥＳであれば、続く、ステップＳ７にて表示制御部１７が言語選択画面を表示し（図３参照）、終了する。
【００６６】
これらの処理が本発明の画像表示プログラムによって実行される。
そのため、図３に示すような日本語による言語選択画面が表示されている状態で「英語」を選択すると、図５に示すような英語の言語選択画面に切り換わり、以降、英語がはめ込まれた操作画面等が作成されて画像表示部７に表示される。
【００６７】
このように、本発明に係る表示制御装置は、操作画像を表示する画像表示部７と、この画像表示部７上の表示操作画像に係る表示言語を選択する言語選択入力および当該装置の操作指示入力を受ける操作部（入力部）９と、その表示操作画像に表示する複数の表示言語であって、特定の表示言語をデフォルト表示言語として記憶する記憶部５と、その表示言語を表示した操作画像をその画像表示部７に表示制御する表示制御部１７であって、その画像表示部７に表示された表示言語がデフォルト言語でない状態で、所定の期間内に、その操作部９が言語選択入力を受けずに所定の操作指示入力を受けたとき、当該時点の表示言語を変更選択する言語選択画面を表示するよう画像表示部７を制御する表示制御部１７とを具備している。
【００６８】
そのため、複合機Ａにおいて、デフォルト言語以外の言語に切換えられた状態の下で、その言語選択画面を探すために何らかの操作指示入力があって所定期間経過すれば、言語選択画面への切り換え方法が分からなくても自動的にその画面に移行させることが可能で、操作者に理解し易い言語選択画面が表示される。
【００６９】
従って、不特定多数が使用する複合機Ａにおいて、言語変更されても言語選択画面への移行がスムーズになるうえ、常に使用しないものの重要な機能である言語選択画面への移行選択キー等をトップ画面に配置する必要がなく、ユーザビリティが向上する。
【００７０】
しかも、複写スタート等の画像形成スタート指示入力が入力された場合には、操作者にとって言語選択が不要な場合が多いから、画像形成スタート指示入力を受けたときには、操作者が不必要な言語選択を求められることがなく、操作性が向上する。
【００７１】
そして、その言語選択画面の表示に先立ち、表示制御部１７が、当該言語選択画面の表示要否画面を表示するよう画像表示部７を制御するから、その言語選択画面が突然表示される前に、言語選択画面を表示するか否かの確認が可能となり、操作者に不安を与えることがないし、言語変更が不必要な場合には言語選択を求められることがなく、操作性が向上する。
【００７２】
また、例えば「日本語」といったデフォルト言語を用いてそれら言語選択画面および表示要否画面を表示制御するから、操作者にとって言語選択画面および表示要否画面が分かり易く、この点でも操作性が向上する。
【００７３】
さらに、上記デフォルト言語としては、当該装置の初期設定言語又は当該装置の設置地域の標準言語とするから、操作者にとって言語選択が不要な場合が多いから、操作者が不必要な言語選択を求められることがなく、操作性が向上する。
【００７４】
そして、本発明に係る表示制御装置は、複合機Ａに限らず、複写機、コンピュータ、ＰＤＡ（personal digital assistant）等の種々の電子機器に搭載して実施可能である。
【００７５】
上述した表示制御装置では、言語選択画面の表示に先立ち、当該言語選択画面の表示要否画面を表示するよう、制御部１が画像表示部７を制御する構成であった。本発明では、表示要否画面の表示を省略し、直接、言語選択画面が画像表示部７に表示されるよう表示制御部１７を形成する構成が可能である。
【００７６】
また、本発明に係る画像表示プログラムは、記憶部５に記憶された複数の表示言語の中から、選択された表示言語を表示操作画像に表示して画像表示部７に表示制御するとともに、その表示言語の選択を制御する制御用コンピュータに対し、その操作画像をその画像表示部７に表示する画像表示処理と、この画像表示部７上の表示操作画像に係る表示言語を選択する言語選択入力および当該装置の操作指示入力を受ける入力処理と、その画像表示部７に表示された表示言語がデフォルト言語でない状態の下で、所定の期間内に、その言語選択入力を受けずに所定の操作指示入力を受けたとき、当該時点の表示言語を変更選択する言語選択画面をその画像表示部に表示制御する表示制御処理とを実行させるものであり、上述した本発明の表示制御装置と同様に効果を得ることが可能である。
【図面の簡単な説明】
【００７７】
【図１】本発明に係る表示制御装置を搭載した複合機の概略を示す概略ブロック図である。
【図２】本発明における記憶部の表示言語記憶状態を説明する図である。
【図３】本発明における画像表示部の表示状態を説明する図である。
【図４】本発明における画像表示部および操作部（入力部）を示す図である。
【図５】本発明における画像表示部の動作を説明する図である。
【図６】本発明に係る表示制御装置による処理手順を示すフローチャートである。
【符号の説明】
【００７８】
１  制御部
３  画像読取部
５  記憶部
７  画像表示部
９  操作部（入力部）
１１  印刷部
１３  通信部
１５  ネットワーク
１７  表示制御部
Ａ、Ｂ  画像形成装置（複合機、電子機器）
【図１】
0005049797.tif 000002
【図２】
0005049797.tif 000003
【図３】
0005049797.tif 000004
【図４】
0005049797.tif 000005
【図５】
0005049797.tif 000006
【図６】
0005049797.tif 000007